(57)【要約】【課題】表示パネル体の起伏回動時の擦れ音の発生を防止する。【解決手段】ハウジングに対して起伏回動する表示パネル体の裏面に回動可能に装着されたカバー部材におけるボス４２が、表示パネル体の適宜角度の起伏姿勢に応じて、ハウジングに設けられた摺動経路５０に対して直線的に移動する。このとき、摺動経路５０は、ボス４２の進退方向に対して傾斜する方向に延びる帯状表面５１ａを有する複数の突条５１が形成され、隣接する突条５１の少なくとも一方の突条５１における帯状表面５１ａに対してボス４２の一部が常時摺接するように、各突条がボス４２の進退方向に対して適宜間隔で形成されている。これにより、摺動経路５０の摺接面が連続した平面である場合より少なくなり、擦れ音の発生が少なくできる。【選択図】図７
2011177981.tif 000002
【特許請求の範囲】
【請求項１】
電気装置等の装置本体に基端部を中心に回動可能に装着することにより前記装置本体に対して起伏する開閉体と、この開閉体に回動可能回動可能に装着されたカバー部材とを備え、
前記カバー部材には、前記装置本体に設けられた摺動経路に対して摺動可能な摺接端部が設けられ、
前記摺動経路は、前記摺接端部の進退方向に対して傾斜する方向に延びる帯状表面を有する複数の突条が形成され、
前記隣接する突条の少なくとも一方の突条における前記帯状表面に対して前記摺接端部の一部が常時摺接するように、各突条が前記摺接端部の進退方向に対して適宜間隔で形成されていることを特徴とする開閉体の擦れ音防止装置。
【請求項２】
前記各突条の前記帯状表面は同一高さを有する平面であり、
前記摺接端部は、前記各突条の前記帯状表面に対して凸湾曲形成されていることを特徴とする請求項１に記載の開閉体の擦れ音防止装置。
【請求項３】
前記カバー部材の他方の自由端部は、当該カバー部材の起伏回動時に前記装置本体に対して抜け不能に構成されていることを特徴とする請求項１または２に記載の開閉体の擦れ音防止装置。
【請求項４】
請求項１乃至３のいずれかに記載の前記開閉体は表示パネル体であり、装置本体の上面に前記表示パネル体が起伏回動可能に装着されていることを特徴とする電気装置。
【請求項５】
前記装置本体の上面には、前記表示パネル体がその表示面を上向きとした姿勢で収納できる上面開放状の収納部が形成されており、この収納部の内部には、前記表示パネル体の基部を回動可能に支持する一対のヒンジ部が配置されることを特徴とする請求項４に記載の電気装置。
【発明の詳細な説明】
【技術分野】
【０００１】
本発明は、液晶パネル等の開閉体の開閉時の擦れ音防止装置と、それを備えた画像記録装置、画像形成装置、ファクシミリ装置、電子端末装置等の電気装置に関するものである。
【背景技術】
【０００２】
従来から、インクジェット式のプリンタ、複写装置、ファクシミリ装置等の単機能装置、プリンタ機能、コピー機能、スキャナ機能、ファクシミリ機能を備えた多機能型または単機能型の画像記録装置や、各種の電気製品では、その製品の各種機能を達成するための指示や装置の現在の状況や操作手順等をユーザーに知らせるための表示パネル装置を備えたものが知られている（特許文献１参照）。
【０００３】
特許文献１に記載の画像形成装置では、本体ケースの表面（上面）に液晶表示素子（ＬＣＤ）等の扁平薄型の表示パネル体の基端部（下端部）を起伏回動可能に連結すると共に、表示パネル体の表示面が適宜の傾斜角度になるように表示パネル体の傾斜角度を調節可能となるように構成して、使用時の画面（表示面）の情報が見え易くなるようにしている。
【０００４】
そして、表示パネル体のうち裏面側の下端部から、ＬＣＤにフイルム状リード部（フレキシブルフラットケーブル）が導出され、このフレキシブルフラットケーブルは、本体ケース側に穿設されている開口部（挿通穴）を介して本体ケース内の制御基板に接続されている。従って、表示パネル体の回動時に、フレキシブルフラットケーブルの中途部は開口部（挿通穴）にある程度出入り動する。
【０００５】
さらに、特許文献１に記載の画像形成装置では、上記フレキシブルフラットケーブルを外部から見えなくし、且つ保護できるようにするため、本体ケースに基端部を中心に回動可能に装着された表示パネル体の裏面のフレキシブルフラットケーブルを覆うように、表示パネル体の裏面にカバー部材の基端部を回動可能に装着し、このカバー部材には、上記本体ケースに設けられた摺動経路に対して摺動可能な摺接端部が設けられている。そして、ユーザーが表示パネル体の傾斜角度を調節するため、当該表示パネル体を起伏回動させるとき、例えば表示パネル体をその表面（表示面）が上向くように寝かせると、カバー部材の摺接端部が表示パネル体の回動中心から離間する方向に移動してカバー部材が表示パネルの裏面と装置本体との間で折り畳まれる。他方、表示パネルを起立させたときには、カバー部材の摺接端部が表示パネル体の回動中心へ接近する方向に移動してカバー部材が表示パネルの裏面側で起立するというように上記カバー部材と表示パネル体の裏面とのなす角度が自動的に変化する構成が開示されている。
【先行技術文献】
【特許文献】
【０００６】
【特許文献１】特開２００７−３８６６５号公報（図９及び図１９参照）
【発明の概要】
【発明が解決しようとする課題】
【０００７】
特許文献１の構成では、表示パネル体を上述の寝かせる方向にユーザーが押すと、カバー部材の摺接端部が本体ケースに設けられた摺動経路の表面を押すような外力が作用する。このような動作を繰り返していると、摺接端部と摺動経路の表面との摩擦にて両者の表面が荒くなったり、摩耗による材料の粉末が上記両者の摺接面に付着し、表示パネル体の起伏回動ときに擦れ音などの異音が発生するという問題があった。特に、摺接端部と摺動経路の一方または両方の材料が合成樹脂材またはＦＲＰ（ガラス強化プラスチック）の場合には異音が高く若しくは大きくなるのであった。
【０００８】
このような問題は、種々の装置例えば、電気装置における装置本体に設けられた開閉体についても発生するという問題があった。
【０００９】
本発明は、上記課題を解決するためになされたものであって、開閉体の開閉時の擦れ音防止装置とそれを備えた電気装置を提供することを目的とするものである。
【課題を解決するための手段】
【００１０】
上記目的を達成するため、請求項１に記載の発明の開閉体の開閉時の擦れ音防止装置は、電気装置等の装置本体に基端部を中心に回動可能に装着することにより前記装置本体に対して起伏する開閉体と、この開閉体に回動可能回動可能に装着されたカバー部材とを備え、前記カバー部材には、前記装置本体に設けられた摺動経路に対して摺動可能な摺接端部が設けられ、前記摺動経路は、前記摺接端部の進退方向に対して傾斜する方向に延びる帯状表面を有する複数の突条が形成され、前記隣接する突条の少なくとも一方の突条における前記帯状表面に対して前記摺接端部の一部が常時摺接するように、各突条が前記摺接端部の進退方向に対して適宜間隔で形成されているものである。
【００１１】
また、請求項２に記載の発明は、請求項１に記載の開閉体の開閉時の擦れ音防止装置において、前記各突条の前記帯状表面は同一高さを有する平面であり、前記摺接端部は、前記各突条の前記帯状表面に対して凸湾曲形成されているものである。
【００１２】
請求項３に記載の発明は、請求項１または２に記載の開閉体の擦れ音防止装置において、前記カバー部材の他方の自由端部は、当該カバー部材の起伏回動時に前記装置本体に対して抜け不能に構成されているものである。
【００１３】
請求項４に記載の発明は、請求項１乃至３のいずれかに記載の前記開閉体は表示パネル体であり、装置本体の上面に前記表示パネル体が起伏回動可能に装着されていることを特徴とする電気装置である。
【００１４】
請求項５に記載の発明は、請求項４に記載の電気装置において、前記装置本体の上面には、前記表示パネル体がその表示面を上向きとした姿勢で収納できる上面開放状の収納部が形成されており、この収納部の内部には、前記表示パネル体の基部を回動可能に支持する一対のヒンジ部が配置されるものである。
【発明の効果】
【００１５】
請求項１に記載の発明によれば、摺接端部が進退方向に移動するとき、当該摺接端部と帯状表面との摺接個所がずれるから、摺動経路が連続した平面の場合に比べて、摺接端部と接触（摺接）する面積は少なく、且つ常時接触（摺接）する位置が変動する。その結果、各突条の帯状表面の摩耗が少なくでき、擦れ音の発生を少なくし、且つ耐久性が向上するという効果を奏する。
【００１６】
請求項２に記載の発明によれば、前記摺接端部は、前記各突条の平面な帯状表面に対して凸湾曲形成されているものであるから、摺接端部の進退方向に沿う移動時に、摺接端部が隣接する突条における帯状表面に円滑且つ静粛に移ることができ、擦れ音や鳴き音の発生を少なくでき、且つ耐久性が一層向上するという効果を奏する。
【００１７】
請求項３に記載の発明によれば、前記カバー部材の他方の自由端部は、当該カバー部材の起伏回動時に前記装置本体に対して抜け不能に構成されているものであるから、カバー部材が不用意に装置本体に対して外れることがない。
【００１８】
請求項４に記載の発明によれば、装置本体の上面に前記表示パネル体が起伏回動可能に装着されていることを特徴とする電気装置であるから、表示パネル体の起伏回動操作を静粛に行うことができ、且つ電気装置の耐久性が向上する。
【００１９】
請求項５に記載の発明によれば、前記装置本体の上面には、前記表示パネル体がその表示面を上向きとした姿勢で収納できる上面開放状の収納部が形成されており、この収納部の内部には、前記表示パネル体の基部を回動可能に支持する一対のヒンジ部が配置されるものであるから、最低伏せ姿勢の表示パネル体の全体を収納部に納めることできるので、その表示パネル体の表面を装置本体の上面と同じにすることができ、不使用時の電気装置をコンパクトにできる。
【図面の簡単な説明】
【００２０】
【図１】本発明が適用された画像記録装置の斜視図であり、（Ａ）は表示パネル体を寝かせた状態の図、（Ｂ）は表示パネル体を起立させた状態の図である。
【図２】（Ａ）は表示パネル体を寝かせた状態の要部平面図、（Ｂ）は図２（Ａ）のIIB −IIB 線矢視断面図である。
【図３】（Ａ）は表示パネル体を起立させた状態の要部平面図、（Ｂ）は図３（Ａ）のIIIB−IIIB線矢視断面図である。
【図４】表示パネル体を起立させた状態の裏面図である。
【図５】（Ａ）は表示パネル体を省いた状態の要部平面図、（Ｂ）は摺動経路の拡大平面図である。
【図６】（Ａ）はカバー部材と案内溝との関係を示す平面図、（Ｂ）は図６（Ａ）ののVIB −VIB 線矢視断面図である。
【図７】（Ａ）及び（Ｂ）は摺動経路の実施例の説明図である。
【図８】鳴き音が発生する摺動経路の説明図である。
【図９】摺動経路の他の実施例を示す説明図である。
【図１０】摺動経路のさらに他の実施例を示す断面図である。
【発明を実施するための形態】
【００２１】
以下、本発明の具体的な実施形態（実施例）について、図面に基づいて説明する。
【００２２】
電気装置の一例としての画像記録装置１は、プリンタ機能、コピー機能、スキャナ機能、ファクシミリ機能を備えた多機能装置（ＭＦＤ：Multi Function Device ）である。図１（Ａ）及び（Ｂ）に示す第１実施形態では、画像記録装置１における合成樹脂製の射出成形品からなる装置本体としてのハウジング２を備えている。
【００２３】
［画像記録装置の基本的構成］
ハウジング２の上面には、合成樹脂製の射出成形品からなる上側本体３が、枢軸部（図示せず）を介してハウジング２の一側端に対して上下開閉回動可能に装着されている。即ち、ハウジング２の正面側（図１において右前側）に開口部２ａが形成されているとき、ハウジング２に対する上側本体３の回動軸線としての枢軸部は開口部２ａから最も遠いハウジング２の奥側に位置している。ハウジング２の上面のうち前寄り部位には、操作パネル部４が配置されている。なお、左右（左側、右側）とは、ハウジング２の正面側（開口部２ａ側）に対峙してハウジング２または画像記録装置１を見たときを基準として左右をいう（以下同じ）。
【００２４】
上側本体３内には、コピー機能やファクシミリ機能における画像読取装置５が組み込まれている。この画像読取装置５は、原稿カバー体７を上側に開けて原稿を載置することができる原稿載置用のガラス板と、ガラス板の下側に原稿読取り用の密着型イメージセンサ（ＣＩＳ：Contact Image Sensor）とからなる（共に図示せず）。密着型イメージセンサは図１のＸ軸方向に延びるガイド軸に沿って往復移動可能に設けられている。画像読取装置５の上面を覆う原稿カバー体７の後端は上側本体３の後端に対して蝶番（図示せず）を中心に上下回動可能に装着されている。
【００２５】
他方、ハウジング２の一側（開口部２ａを有する前側面）には、インク貯蔵部のための蓋体２ｂが前向き開閉可能に設けられ、インク貯蔵部には、図示しないが個別の色毎のカートリッジとして、この実施形態では、ブラック（Ｂｋ）、シアン（Ｃ）、マゼンタ（Ｍ）、イエロー（Ｙ）の各色用のインクカートリッジが収納されている。各インクカートリッジと、ハウジング２内の記録部におけるインクジェット式の記録ヘッドとを、可撓性を有するインク供給管で常時連結している（共に図示せず）。
【００２６】
他方、ハウジング２の底部には、図１（Ａ）及び図１（Ｂ）に示すように、用紙を堆積収容する給紙カセット１５が進退動可能に配置されており、この給紙カセット１５はハウジング２の前側の開口部２ａから差し込まれている。本実施形態では、給紙カセット１５は、被記録媒体（用紙）としての、例えば、Ａ４サイズ、レターサイズ、リーガルサイズ、はがきサイズ等にカットされた用紙を複数枚積層（堆積）されて収納できる形態とする。給紙カセット１５の上部にてＸ軸方向に進退動可能設けられた補助給紙カセット（不図示）には、葉書などの小サイズの用紙を１乃至複数枚載せることが可能となっている。
【００２７】
記録部にて記録された用紙がその記録面を上向きにして排出される排紙トレイ３０ａは、補助給紙カセットの後部に一体的に設けられている。排紙トレイ３０ａに連通する排紙口がハウジング２の前面の開口部２ａと共通にして開口されている。
【００２８】
［操作パネル部４の構成］
次に、操作パネル部４の構成、特に表示パネル体３１の起伏構造について、図１（Ａ）、図１（Ｂ）、図２〜図７に基づいて説明する。操作パネル部４は、ハウジング２の上面前側部位を覆うパネルカバー３２と、このパネルカバー３２の上面をさらに覆うように組付けられる表面板３３と、表示パネル体３１とを備えている。パネルカバー３２及び表面板３３は、図３に示すように、合成樹脂製の射出成形品である。パネルカバー３２及び表面板３３の上面のうち、図１（Ａ）、図１（Ｂ）において、表示パネル体３１の右側部位には、電子装置である画像記録装置１の備える複数の機能を指示・操作するための入力キー部３４が配置されている。
【００２９】
表示パネル体３１における直方体である枠体３１ａの表面側の液晶パネル表示部３１ｂはカラー画像を表示でき、且つ大きい面積の枠体３１ａ（実施形態では６０ｍｍ×１１０ｍｍ程度の矩形）を有するものである。表示パネル体３１の枠体３１ａの左右両側面の下端側には、回動中心となる中心軸３５が横向きに突設され、両中心軸３５は操作パネル部４の左右中央部に凹み形成されたパネルカバー３２と表面板３３とにより凹み形成された収納部３６の左右両側部位の軸受部（請求項にいう一対のヒンジ部に相当）に回動自在に枢支されている。
【００３０】
上述の軸受部の外周部位には、図示しない起伏姿勢調節機構により、表示パネル体３１はその液晶パネル表示部３１ｂもしくは枠体３１ａの表面が表面板３３の上面と実質上同一面の姿勢（図１（Ａ）参照）から、表面板３３の正面方向に対して斜め上向きの適宜角度（実施形態では水平面に対して略６０度程度）の姿勢（図１（Ｂ）及び図３（Ｂ）参照）まで適宜の角度間隔ごとの姿勢調節（チルト調節）可能に構成されている。なお、平面視において矩形状の収納部３６は、下側のパネルカバー３２に上向き開放状に凹み形成され凹部と、表面板３３に上下貫通する枠孔とからなる。
【００３１】
画面表示のための信号をパネル表示部３１ｂに伝送するためのフレキシブルフラットケーブルとしてのハーネス３７は枠体３１ａの裏面側から突出している。このハーネス３７は、収納部３６を貫通する挿通穴３９を介してパネルカバー３２の下方に配置される制御板（図示せず）に接続される。このハーネス３７の上側を覆う板状のカバー部材３８の左右上端である基端部の横向きの支軸４０は、表示パネル体３１の枠体３１ａの左右両側部位に設けられた軸受部４１に回動可能に連結されている。本実施例では、カバー部材３８は合成樹脂製であって、扁平板状に形成されている。従って、表示パネル体３１を起立させても、ハーネス３７及び挿通穴３９は板状のカバー部材３８で常時隠されていることになり、ユーザーが指で触れる等の不具合を防止できる。
【００３２】
収納部３６における底部であるパネルカバー３２と、収納部３６における左右両側の表面板３３の縦壁３３ａとが交わる隅部には、ハウジング２の前後方向（Ｘ軸方向）に延びる一対の案内溝４４が形成されている（図４、図３、図６（Ａ）及び図６参照）。            
【００３３】
カバー部材３８の左右両側の下端部（自由端部）には、外向きに突出するように一体的に形成されたボス４２、４３を有する。この一対のボス４２、４３が上記一対の案内溝４４に沿って前後摺動可能で且つ抜け不能となっている。
【００３４】
表示パネル体３１を後傾角度４５〜５０度程度に起立させた姿勢（図１（Ｂ）及び図３（Ｂ）参照）では、カバー部材３８は後下向きに略６０度程度の傾斜角度で案内溝４４の前端部に位置し、これにより、ハーネス３７及び挿通穴３９は表示パネル体３１の枠体３１ａの裏面とカバー部材３８との間に位置して、これら両部材により覆われる。
【００３５】
表示パネル体３１をその表示面３１ｂが上向きとなるように寝かせた状態、つまり、表示パネル体３１が収納部３６内に収納された姿勢（図１（Ａ）、図２（Ａ）及び図２（Ｂ）参照）では、カバー部材３８の自由端側（ボス４２、４３側）は案内溝４４の後端側に位置し、枠体３１ａの裏面とカバー部材３８とが略平行状になるように、カバー部材３８が折り畳まれることになる。従って、表示パネル体３１の寝かせた状態の高さ寸法が低くなり、画像記録装置１をコンパクトにできる。このようにして、表示パネル体３１に対して折り畳み可能に装着されたカバー部材３８により、表示パネル体３１の起伏姿勢の如何に拘らず、ハーネス３７及び挿通穴３９が覆われ保護されるので、ユーザーが不用意にハーネス３７に触れたり、挿通穴３９を介してゴミや埃等の異物が画像記録装置１内に侵入しないのである。
【００３６】
［表示パネル体３１の起伏方向への開閉時の鳴き音防止装置の構成］
ところで、カバー部材３８の自由端側のボス４２、４３の両方または一方が案内溝４４より下方の収納部３６における底部であるパネルカバー３２の摺動経路に摺接しているときは、表示パネル体３１を上述のように寝かせる方向に倒すとき、当該パネルカバー３２の摺動経路の表面をボス４２（４３）で強く擦ることになる。ボス４２（４３）またはパネルカバー３２の両方または一方が合成樹材やＦＲＰ（ガラス繊維強化プラスチック）で形成され、且つ摺動経路の表面が連続した平面であると、繰り返しの摺接作用にて、その摺接面が摩耗し足り、ボス４２（４３）またはパネルカバー３２の両方または一方の材料の表面が荒らされ、摺接摩擦による擦れ音（鳴き音または異音ともいう）が発生するという問題があった。
【００３７】
そこで、本発明では、摺動経路の表面態様を工夫することにより、上記の擦れ音が発生するのを防止しようとするものである。即ち、摺動経路は、摺接端部の進退方向に対して傾斜する方向に延びる帯状表面を有する複数の突条が形成され、隣接する突条の少なくとも一方の突条における帯状表面に対して摺接端部の一部が常時摺接するように、各突条が摺接端部の進退方向に対して適宜間隔で形成されていることを特徴とする。
【００３８】
［第１実施例］
第１実施例では、図４、図６（Ａ）及び図６（Ｂ）における右側の自由端部の外向きのボス４２（請求項の摺接端部に相当）のみがパネルカバー３２の摺動経路５０の表面に摺接するものとし、ボス４２は断面円柱状若しくは楕円柱状等の凸湾曲状に形成されている。
【００３９】
他方、摺動経路５０には、ボス４２の進退方向（Ｘ軸方向）に対して、角度ｑで傾斜する方向に延びる帯状表面５１ａを有する複数の突条５１が形成されている。ボス４２の進退方向に隣接する突条５１の少なくとも一方の突条５１における帯状表面５１ａに対してボス４２の一部が常時摺接するように、各突条５１がボス４２の進退方向に対して適宜間隔（ピッチＰ）で形成されているように構成する。ここで、各帯状表面５１ａの上記角度ｑ方向に沿う長さをＡとし、ボス４２の進退方向に隣接する上流側の突条５１における帯状表面５１ａの下流側端縁から下流側の突条５１における帯状表面５１ａの上流側端縁までのＸ軸方向と平行な間隔Ｂとする。また、各帯状表面５１ａのＸ軸方向と平行な寸法をｔとし、各突条５１における帯状表面５１ａとボス４２とがＸ軸方向と直交する方向（Ｙ軸方向）の接触領域長さをＷとする。そうすると、Ａ＝Ｗtan ｑであり、Ｂ＝Ｐ−ｔとなる。なお、各突条５１における帯状表面５１ａは同一高さを有する平面とする。
【００４０】
図７（Ａ）に示すＡ＞Ｂの場合や図７（Ｂ）に示すＡ＝Ｂの場合には、ボス４２の直径Ｄの大小に拘らず、ボス４２がＸ軸方向に沿って進退するとき、この進退方向に隣接する上流側の突条５１における帯状表面５１ａ及び下流側の突条５１における帯状表面５１ａの両方にボス４２の一部が跨がって接触（摺接）しているか、若しくは上流側若しくは下流側のいずれか一方の帯状表面５１ａにボス４２の一部が接触（摺接）していることになる。そして、この接触はボス４２の下端面であり、円柱状若しくは楕円柱状ボス４２の円柱軸と平行な線接触となる。
【００４１】
このように構成すると、Ｙ軸方向においてボス４２が帯状表面５１ａに常時接触する長さＷｙ＝ｔ／ cosｑとなる。従って、摺動経路５０の表面が連続した平面とボス４２とが接触している長さＷである場合に比べて、ボス４２の下面が摺動経路５０の帯状表面５１ａと接触している長さＷｙが極めて小さくなり、しかも、ボス４２が接触（摺接）する帯状表面５１ａの個所がボス４２の進退移動につれてずれるから、帯状表面５１ａの摩耗が著しく減少する。
【００４２】
しかも、Ａ＞Ｂの場合やＡ＝Ｂの場合には、ボス４２の直径Ｄの大小に拘らず、上流側下流側との隣接する突条５１の間の凹溝部分５２にボス４２の一部でも落ち込むことがないから、突条５１と凹溝部分５２との間をボス４２が移動するときに、当該ボス４２の周面が突条５１の上端角部に衝突してカタカタと鳴るような異音も発生しない。これに対して、図８に示すＡ＜Ｂの場合には、上流側下流側との隣接する突条５１の間の凹溝部分５２にボス４２の一部が落ち込むことになり、上述の鳴き音が発生するとともに、衝突の繰り返しで摺動経路５０の表面が粗くなるという問題があり、適切ではない。
【００４３】
［他の実施例］
図９に示すように、各突条５１における帯状表面５１ａは、直線的でなく、湾曲形成されている、または波型状であっても良い。さらに、各突条５１の断面は矩形でなく、台形状であっても良い（図１０参照）。
【００４４】
開閉体の一例として、多機能型の画像記録装置における表示パネル体の場合について述べたが、本発明は単機能型の画像記録装置についても適用できることはいうまでもなく、また、カーナビゲーション等の電気装置のための表示パネル体にも適用できる。その場合にも上記と同様の作用・効果を奏することができるものである。
【符号の説明】
【００４５】
１画像記録装置
２装置本体としてのハウジング
３上側本体
４操作パネル部
３１表示パネル体
３２表面板
３１ａ枠体
３１ｂ液晶パネル表示部
３５中心軸
３６収納部
３７ハーネス
３８カバー部材
５０摺動経路
５１突条
５１ａ帯状表面
５２凹溝部分
【図１】
2011177981.tif 000003
【図２】
2011177981.tif 000004
【図３】
2011177981.tif 000005
【図４】
2011177981.tif 000006
【図５】
2011177981.tif 000007
【図６】
2011177981.tif 000008
【図７】
2011177981.tif 000009
【図８】
2011177981.tif 000010
【図９】
2011177981.tif 000011
【図１０】
2011177981.tif 000012